(57)【要約】【課題】鑑賞効果を高めつつ、水槽の掃除の頻度を減らし、また掃除をしやすくする水槽装飾体を提供する。【解決手段】水槽１０内の平坦な底に敷かれる装飾体１であって、いずれも樹脂又は無機材料からなり、上面が開口し、平面視で水槽の内周に沿う箱状をなす基礎部材２と、厚さ方向に多数の貫通孔３１を有し、上面が自然界の水底に似せて装飾された板状をなし、前記基礎部材の開口端面上に載せられて基礎部材の上面を覆う床部材３と、必要により下面が前記床部材の上面に倣うように自然界の岩に似せて形成された岩部材４とを備えることを特徴とする。【選択図】図２
2012060943.tif 000002
【特許請求の範囲】
【請求項１】
水槽内の平坦な底に敷かれる装飾体であって、いずれも樹脂又は無機材料からなり、
上面が開口し、平面視で水槽の内周に沿う箱状をなす基礎部材と、
厚さ方向に多数の貫通孔を有し、上面が自然界の水底に似せて装飾された板状をなし、前記基礎部材の開口端面上に載せられて基礎部材の上面を覆う床部材と
を備えることを特徴とする水槽装飾体。
【請求項２】
前記基礎部材は、間隙を介してその底部と水槽の底とが対向するようにその側壁が下方に延びている請求項１に記載の水槽装飾体。
【請求項３】
前記基礎部材は、底部が一個所に向けて下降するように傾斜しており、その最低位置に下端付近の側面が開口した筒が立てられており、前記床部材には筒に対応する位置に筒の外径と同じ内径を有するように盛り上がったクレーターが形成されており、筒の上端がクレーターに嵌入可能である請求項１又は２に記載の水槽装飾体。
【請求項４】
更に、下面が前記床部材の上面に倣うように自然界の岩に似せて形成された岩部材を備える請求項１〜３のいずれかに記載の水槽装飾体。
【発明の詳細な説明】
【技術分野】
【０００１】
この発明は、魚類を観賞する水槽の中に置かれる装飾体に関し、特に水槽内の汚泥やゴミを目立たなくするために好適に利用される装飾体に関する。
【背景技術】
【０００２】
魚の排泄物や残り餌などの有機物は、水を汚し、有毒のアンモニアを発生させることから、水槽内で魚を飼育する場合は定期的に掃除をする必要がある。
一方、鑑賞効果を高めたり、魚を落ち着かせたりするために、水槽の底に砂利が敷かれることが多い。
このような砂利は、有機物との分離が困難のため掃除を著しく面倒にし、飼育者の飼育意欲を殺ぐこともある。
そこで、砂利を敷くことに代えて、樹脂で成形した基板の表面に石や砂あるいは人工の装飾品を接着した底面装飾板が提案されている（特許文献１）。そして、掃除の際には、表面を軽く掃くだけでよいと記載されている。また、台とその上に置かれる網とからなり、有機物が網目を通過して下に落ちるようにした床も提案されている（特許文献２）。
【先行技術文献】
【特許文献】
【０００３】
【特許文献１】特開平１１−９８９３２
【特許文献２】特開２００５−２１８３２６
【発明の概要】
【発明が解決しようとする課題】
【０００４】
しかし、特許文献１に記載の底面装飾板は結局、水を水槽から一旦全部放出するか底面装飾板を水槽から取り出すかしなければ、表面の有機物を掃くことができない。また、特許文献２に記載の床は、装飾性が全く無いばかりか、床の下に溜まっている有機物がかえって目立ってしまう。
それ故、この発明の課題は、鑑賞効果を高めつつ、水槽の掃除の頻度を減らし、また掃除をしやすくする水槽装飾体を提供することにある。
【課題を解決するための手段】
【０００５】
その課題を解決するために、この発明の水槽装飾体は、
水槽内の平坦な底に敷かれる装飾体であって、いずれも樹脂又は無機材料からなり、
上面が開口し、平面視で水槽の内周に沿う箱状をなす基礎部材と、
厚さ方向に多数の貫通孔を有し、上面が自然界の水底に似せて装飾された板状をなし、前記基礎部材の開口端面上に載せられて基礎部材の上面を覆う床部材と
を備えることを特徴とする。
【０００６】
この水槽装飾体によれば、排泄物や残り餌などの有機物は、床部材の貫通孔を通って落下し、基礎部材に溜められるので、床部材の表面は汚れにくい。基礎部材は箱状をなして床部材で覆われているので、溜まった有機物は水槽の外からは見えない。そして、床部材の上面が自然界の水底に似せて装飾されているので、砂利を敷かなくても砂利以上に水槽の底面が美しく見える。
【０００７】
前記基礎部材は、間隙を介してその底部と水槽の底とが対向するようにその側壁が下方に延びていると好ましい。その間隙に、ポンプから空気を送るチューブを這わせることができるからである。
また、前記基礎部材は、底部が一個所に向けて下降するように傾斜しており、その最低位置に下端付近の側面が開口した筒が立てられており、前記床部材には筒に対応する位置に筒の外径と同じ内径を有するように盛り上がったクレーターが形成されており、筒の上端がクレーターに嵌入可能であるとよい。溜まった有機物は傾斜した底部を滑って筒付近に寄せられる。そして、筒の上端に吸い込みポンプのホースを差し込んで、ポンプを作動させることにより、筒の下端の開口から有機物が吸い込まれ、除去されるからである。筒の上端はクレーターで隠されているので、鑑賞中に水槽内の景観が損なわれることはない。
【０００８】
この発明の水槽装飾体は、基礎部材及び床部材に加えて更に、下面が前記床部材の上面に倣うように自然界の岩に似せて形成された岩部材を備えることができる。これにより、水槽装飾体がますます自然界の水底や峡谷に近似したものになるばかりか、岩部材の形状によっては水中フィルターなどの部品を隠すこともできる。
【発明の効果】
【０００９】
基礎部材に溜まった有機物が水槽の外から見えないので、水槽の掃除の回数が少なくて済む。溜まった有機物は、基礎部材の底に沿って掻き取ることができるので、掃除が容易である。
【図面の簡単な説明】
【００１０】
【図１】実施形態の水槽装飾体が水槽内に設置されている状態を示す斜視図である。
【図２】上記水槽装飾体の分解斜視図である。
【図３】上記水槽装飾体に用いられる基礎部材を図２と反対側から眺めた斜視図である。
【発明を実施するための形態】
【００１１】
以下、この発明を実施形態に基づいて図面とともに具体的に説明する。図１は実施形態の水槽装飾体が水槽内に設置されている状態を示す斜視図、図２は上記水槽装飾体の分解斜視図、図３は上記水槽装飾体に用いられる基礎部材を図２と反対側から眺めた斜視図である。
水槽装飾体１は、直方体状の水槽１０内の平坦な底に敷かれる装飾体であって、基礎部材２、床部材３及び岩部材４を備える。
【００１２】
基礎部材２は、樹脂からなり、水槽の内周に沿う箱状をなし、平面視長方形の滑らかな底部２１、及び底部２１の四辺に立てられた側壁２２を有する。底部２１は、一隅（図１及び図２において手前左側の隅）に向かって下降するように傾斜している。基礎部材２の内側には底部２１の最も低い前記一隅の位置に筒２３が立てられて固定されている。筒２３は、それ自身の軸方向に貫通しており、下端付近の側面に開口部２４が設けられている。
【００１３】
底部２１の下面は、筒２３から遠ざかるに連れて上昇し、水槽の底から離れる。側壁２２における筒２３と対角の位置、及び底部２１における幅方向中間の奥の方の位置にはそれぞれ高さ方向に貫通孔が設けられており、そこに１本のビニールチューブ２５が通されている。ビニールチューブ２５は、側壁２２の貫通孔を通されて底部２１の下を這わされ、底部２１の貫通孔から出され、先端にフィルター２６が被せられている。ビニールチューブ２５のもう一方の端部には図略の空気ポンプが接続される。
【００１４】
床部材３は、樹脂からなり、上面が湖底、池底、沼底、海底及び川底の内から選ばれる自然界の水底に似るように起伏をもって装飾され、水槽の内周に沿う平面視長方形の板状をなし、基礎部材２の枠部２２上に載せられて基礎部材２を覆う。床部材３は、厚さ方向に多数の貫通孔３１を有する。貫通孔３１の内径は、コストを重視して統一されていても良いし、より自然界に似るように種々雑多であってもよい。床部材３には筒２３及びフィルター２６に対応する位置にそれぞれ筒２３及びフィルター２６の外径と同じ内径を有するように盛り上がったクレーター３２、３３が形成されており、筒２３及びフィルター２５の上端がクレーター３２、３３に嵌入可能である。
【００１５】
岩部材４は、樹脂からなり、下面が床部材３の上面に倣うように自然界の岩に似せて形成され、クレーター３３の背面、両側面及び一部正面を囲む峡谷４１を有する。岩部材４は好みに応じて床部材３の上に載せられる。
【００１６】
この水槽装飾体１によれば、排泄物や残り餌などの有機物は、床部材３の貫通孔３１を通って落下し、基礎部材２に溜められるので、床部材３の表面は汚れにくい。基礎部材２は箱状をなして床部材３で蓋をされているので、溜まった有機物は水槽１０の外からは見えない。そして、床部材３の上面が自然界の水底に似せて装飾されているので、砂利を敷かなくても砂利以上に水槽１０の底面が美しく見える。従って、水槽１０の掃除の回数が少なくて済む。
【００１７】
基礎部材２に溜まった有機物は、傾斜した底部２１を滑って筒２３付近に寄せられる。そして、筒２３の上端に図略の吸い込みポンプのホースを差し込んで、ポンプを作動させることにより、筒２３の下端の開口２４から有機物が吸い込まれ、除去される。筒２３の上端はクレーター３２で隠されているので、筒２３の存在によって鑑賞中に水槽内の景観が損なわれることはない。水槽１０内の水には図略の空気ポンプからビニールチューブ２５及びフィルター２６を介して空気が送られる。フィルター２６はクレーター３３で囲まれ、更に峡谷４１で隠されているので、フィルター２６の存在によって鑑賞中に水槽内の景観が損なわれることはない。筒２３から吸い込みきれないほど大量に有機物が溜まった場合は、水槽装飾体１を分解し、基礎部材２の底部２１に沿って掻き取ることができるので、掃除が容易である。
【００１８】
基礎部材２、床部材３及び岩部材４は、樹脂に代えてアルミナ、ガラスセラミックなどの無機材料で製作しても良い。基礎部材２の側壁２２は、四面全面に形成されていなくても正面及び両側面の三面であってもよい。鑑賞は正面からなされるからである。筒２３の配置は、基礎部材２における平面視中央であってもよい。筒２３を中央に配置し、底部２１を中央に向かって下降させることにより、有機物の回収が更に容易となる。また、床部材３は、岩部材４と干渉しない位置で大きく盛り上がらせて、その下に水中フィルターを置いても良い。岩部材４には峡谷４１とは別にもう一個所峡谷を設けて、そこに水中フィルターなどの部品を隠しても良い。
【符号の説明】
【００１９】
１  水槽装飾体
２  基礎部材
２１  底部
２２  側壁
２３  筒
２４  開口
２５  チューブ
２６  フィルター
３  床部材
３１  貫通孔
３２、３３  クレーター
４  岩部材
４１  峡谷
１０  水槽
【図１】
2012060943.tif 000003
【図２】
2012060943.tif 000004
【図３】
2012060943.tif 000005